Podtech/llm-jp-corpus-v4-ja_patent huggingface dataset:
【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
クローズドエンドのシーケンシャルループを並列ループに変換する方法であって、
トランザクショナルメモリシステムを提供するステップと、
当初のシーケンシャルループを含むコードの第１セクションを解析して、前記当初のシーケンシャルループが実行する繰り返し定数を決定するステップと、
前記当初のシーケンシャルループを含むコードの前記第１セクションを、並列ループを含むコードの第２セクションに変換するステップであって、前記並列ループは前記繰り返し定数までの数の複数のトランザクションを生成するよう作動可能であり、前記トランザクションは前記並列ループの少なくとも一部を並列に実行可能にする、ステップと、
異なるスレッド上で実行する複数のトランザクションのうちの少なくともいくつかと共に、前記トランザクショナルメモリシステムを使用してコードの第２セクションを実行するステップと
を備えたことを特徴とする方法。
【請求項２】
前記繰り返し定数は、前記当初のシーケンシャルループと比較してループ終了を判定するための一定値を検索することにより決定されることを特徴とする請求項１に記載の方法。
【請求項３】
前記トランザクションの各々がそれぞれの誘導変数カウンタをコミット連続番号として使用し、該コミット連続番号は所定のコミット順処理を使用してトランザクション各々を正しい順序でコミットするのを保証することを特徴とする請求項１に記載の方法。
【請求項４】
請求項１に記載の各ステップをコンピュータに実行させるためのコンピュータ実行可能命令を有することを特徴とするコンピュータ読取可能記憶媒体。
【請求項５】
コンピュータに実行させるためのコンピュータ実行可能命令を有するコンピュータ読取可能記憶媒体であって、該コンピュータ実行可能命令は、
トランザクショナルメモリシステムを提供するステップと、
オープンエンドシーケンシャルループを含むコードの前記第１セクションを、並列ループを含むコードの第２セクションに変換するステップであって、前記並列ループはスペキュレーションパイプラインの繰り返し毎にそれぞれの作業項目を含む個々のトランザクションを生成するように作動可能であるステップと、
異なるスレッド上で実行する前記個々のトランザクションのうち少なくともいくつかと共に、前記トランザクショナルメモリシステムを使用してコードの前記第２セクションを実行するステップと、
を含み、各ステップをコンピュータに実行させることを特徴とするコンピュータ読取可能記憶媒体。
【請求項６】
コードの前記第２セクションは、前記トランザクションのうち少なくともいくつかを並行して実行するように生成されることを特徴とする請求項５に記載のコンピュータ読取可能記憶媒体。
【請求項７】
コードの前記前記第２セクションは、前記オープンエンドシーケンシャルループのコンパイラ分析を実行することなく生成されることを特徴とする請求項５に記載のコンピュータ読取可能記憶媒体。
【請求項８】
当初の入力対出力のマッピングが、前記トランザクションを所定のコミット順でコミットすることにより維持されることを特徴とする請求項５に記載のコンピュータ読取可能記憶媒体。
【請求項９】
前記所定のコミット順が、前記オープンエンドシーケンシャルループの実行順と整合性が取れていることを特徴とする請求項８に記載のコンピュータ読取可能記憶媒体。
【請求項１０】
オープンエンドシーケンシャルループから生成される並列ループを実行する方法であって、
オープンエンドシーケンシャルループから生成される並列ループで実行する繰り返しの回数を見積もるスペキュレーションパイプラインを生成するステップと、
前記スペキュレーションパイプラインの各繰り返しをもとに、それぞれの作業項目を含む個々のトランザクションを生成するステップと、
異なるスレッドの上で個々のトランザクションのうち少なくともいくつかを実行するステップと、
それぞれの作業項目毎に終了条件を評価するステップと、
前記それぞれの作業項目のうちの特定の１つが、前記並列ループを終了する時期に到達したと判定するときに、前記それぞれの作業項目のうちの前記特定の１つの先行者をコミットし、後継者を廃棄するステップと、
を含むことを特徴とする方法。
【請求項１１】
それぞれの作業項目を実行しながら、現在の繰り返し値を読み出すことを特徴とする請求項１０に記載の方法。
【請求項１２】
それぞれの作業項目毎の前記現在の繰り返し値は、所定のコミット順処理において、コミット連続番号として使用されること、を特徴とする請求項１１に記載の方法。
【請求項１３】
前記現在の繰り返し値は、それぞれの作業項目毎にアクセス可能な値の極小の増分を実行することにより読み出されることを特徴とする請求項１１に記載の方法。
【請求項１４】
前記オープンエンドシーケンシャルループの当初の実行と整合性が取れているコミット順が達成されること、あるいは、
前記オープンエンドシーケンシャルループが、ｗｈｉｌｅループであること、あるいは
前記オープンエンドシーケンシャルループが、ｄｏ  ｗｈｉｌｅループであることあるいは、
前記オープンエンドシーケンシャルループが、ｆｏｒループであること、あるいは、
前記スペキュレーションパイプラインの初期値が、並列ループを実行するコンピュータ上で利用可能な処理装置の数に少なくとも部分的に基づいて計算されること、あるいは、
適応的統計データを用いて、前記並列ループの後の実行のために前記スペキュレーションパイプラインを調整することを特徴とする請求項１０に記載の方法。
【請求項１５】
請求項１０に記載の各ステップをコンピュータに実行させるためのコンピュータ実行可能命令を有することを特徴とするコンピュータ読取可能記憶媒体。
【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
対話型電子装置であって、
入力を受信することができる可撓性タッチ感知表面と、
前記可撓性タッチ感知表面に結合された可撓性画面と、
前記可撓性画面に結合され、前記入力に応じて触覚フィードバックを提供するように構成されるアクチュエータと、を備える、対話型電子装置。
【請求項２】
前記アクチュエータに結合され、前記対話型電子装置に電力を提供するように構成される可撓性バッテリと、
前記可撓性バッテリに結合され、前記入力に応じて前記可撓性画面上で画像を表示するためにデータを処理できる可撓性チップと、をさらに備え、前記可撓性チップは、前記アクチュエータを作動させて前記触覚フィードバックを生成するために、前記入力に応じて触覚信号をさらに提供する、請求項１に記載の対話型電子装置。
【請求項３】
前記可撓性画面は画像を表示するように構成される、請求項２に記載の対話型電子装置。
【請求項４】
前記可撓性タッチ感知表面は、曲げることができる、または折り畳み可能なタッチ感知表面を含み、前記入力を受信することができる複数の可撓性領域をさらに含む、請求項１に記載の対話型電子装置。
【請求項５】
前記複数の可撓性領域は、前記可撓性画面の曲げられた位置に応じて、前記複数の可撓性領域の第１の組を作動させることができる、請求項４に記載の対話型電子装置。  
【請求項６】
前記複数の可撓性領域は、前記可撓性画面の折り畳み位置に応じて、前記複数の可撓性領域の第２の組を作動させることができる、請求項４に記載の対話型電子装置。
【請求項７】
前記可撓性画面は丸めることができる表示部、折り畳み可能な表示部、または曲げることができる電子ペーパーである、請求項３に記載の対話型電子装置。
【請求項８】
前記アクチュエータは可撓性アクチュエータである、請求項１に記載の対話型電子装置。
【請求項９】
前記可撓性アクチュエータは、圧電セラミック、形状記憶合金、または電気活性ポリマーのストリップである、請求項８に記載の対話型電子装置。
【請求項１０】
前記可撓性アクチュエータは、前記可撓性画面と前記可撓性タッチ感知表面との間に位置し、それによって、前記可撓性画面、前記可撓性タッチ感知表面および前記可撓性アクチュエータは、実質的に同程度に丸める、折り畳む、または曲げることができる、請求項８に記載の対話型電子装置。
【請求項１１】
入力および出力装置に触覚フィードバックを提供する方法であって、
可撓性タッチ感知表面の第１の表面上の複数の領域を監視するステップであって、前記可撓性タッチ感知表面の第２の表面は、可撓性表示部上に配置される、ステップと、
前記可撓性タッチ感知表面の前記複数の領域のうちの一領域上の接触を感知するステップと、
前記接触に応じて入力信号を生成し、前記入力信号を処理ユニットに送信するステップと、
前記入力信号に応じて触覚フィードバックを生成するステップと、を含む、方法。  
【請求項１２】
前記入力信号に応じて触覚フィードバックを生成するステップは、
前記可撓性表示部が撓んでいる位置にある際、部分的な画像信号を生成するステップと、
前記入力信号と前記部分的な画像信号に応じて触覚信号を開始するステップと、
前記触覚信号をアクチュエータに提供するステップと、をさらに含む、請求項１１に記載の方法。
【請求項１３】
前記可撓性タッチ感知表面の第１の表面上の複数の領域を監視するステップは、
前記可撓性表示部が丸められた位置にある場合、前記可撓性表示部の有効な表示ウィンドウを特定するステップと、
前記有効な表示ウィンドウに応じて、有効なタッチ感知表面を設けるように、前記可撓性タッチ感知表面の一組の領域を作動させるステップと、をさらに含む、請求項１１に記載の方法。
【請求項１４】
前記可撓性タッチ感知表面の第１の表面上の複数の領域を監視するステップは、
前記可撓性表示部が折り畳まれた位置にある場合、前記可撓性表示部の有効な表示ウィンドウを特定するステップと、
前記有効な表示ウィンドウに応じて、有効なタッチ感知表面を設けるように、前記可撓性タッチ感知表面の一組の領域を作動させるステップと、をさらに含む、請求項１１に記載の方法。
【請求項１５】
前記可撓性表示部が撓んでいる位置にある際、部分的な画像信号を生成するステップは、前記可撓性表示部が曲げられた位置にあることを決定するステップをさらに含む、請求項１２に記載の方法。  
【請求項１６】
前記可撓性表示部が撓んでいる位置にある際、部分的な画像信号を生成するステップは、前記可撓性表示部が丸められた位置にあることを決定するステップをさらに含む、請求項１２に記載の方法。
【請求項１７】
前記可撓性表示部が撓んでいる位置にある際、部分的な画像信号を生成するステップは、前記可撓性表示部が折り畳み位置にあることを決定するステップをさらに含む、請求項１２に記載の方法。
【請求項１８】
前記触覚フィードバックを生成するステップは、触覚感覚を作るように形状記憶合金の少なくとも一つの繊維を動作状態にさせるステップをさらに含む、請求項１１に記載の方法。
【請求項１９】
前記触覚フィードバックを生成するステップは、触覚感覚を作るように電気活性ポリマーの少なくとも一つの繊維を動作状態にさせるステップをさらに含む、請求項１１に記載の方法。
【請求項２０】
前記触覚フィードバックを生成するステップは、触覚感覚を作るように圧電材料から作製された少なくとも一つのストリップを動作状態にさせるステップをさらに含む、請求項１１に記載の方法。
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
（ａ）基板、および
（ｂ）１つもしくは２つ以上の共通してアドレス指定される発光素子のアレイを含み、
前記共通してアドレス指定される発光素子のそれぞれが、前記基板の上に形成された第１の電極層、該第１の電極層の上に形成された１層もしくは２層以上の発光層および該発光層の上に形成された第２の電極層を含み、
前記１層もしくは２層以上の発光層が、共通の多結晶半導体マトリックスの中に形成された複数のコア／シェル量子ドット発光体を含み、
複数の異なるコア／シェル量子ドット発光体からの光がピークおよびＦＷＨＭ帯域幅を有する分光分布を有し、それらのピーク波長の差が該異なるコア／シェル量子ドット発光体の４６０〜６７０ｎｍの範囲内での平均ＦＷＨＭ帯域幅以下である面照明無機エレクトロルミネセントデバイス。
【請求項２】
（ａ）基板の上に第１の電極層を形成するステップ、
（ｂ）ピークおよびＦＷＨＭ帯域幅を含む分光分布を有する光を放射する複数の異なるコア／シェル量子ドット発光体を形成し、それらのピーク波長の差が、異なるコア／シェル量子ドット発光体の４６０〜６７０ｎｍの範囲内での平均ＦＷＨＭ帯域幅以下であるステップを含む面照明エレクトロルミネセントデバイスの作製方法。
【請求項３】
（ａ）基板、および
（ｂ）１つもしくは２つ以上の共通してアドレス指定される発光素子のアレイを含み、
前記共通してアドレス指定される発光素子のそれぞれが、
（ｂ１）前記基板の上に形成された第１の電極層、
（ｂ２）前記第１の電極層の上に形成された１層もしくは２層以上の発光層、
（ｂ３）前記発光層の上に形成された第２の電極層を含み、
（ｃ）前記１層もしくは２層以上の発光層が、狭い間隔の分光分布を有する複数のコア／シェル量子ドット発光体を含み、
前記分光分布がピークおよびＦＷＨＭ帯域幅を含み、
前記異なるコア／シェルドット発光体の少なくとも１つのサブセットにより生じた光の分光分布のピーク波長が、いずれかの２つのピーク波長間の前記最小距離が４６０ｎｍと６７０ｎｍとの間で前記平均ＦＷＨＭ帯域幅の１．１倍以下であり、前記エレクトロルミネセントデバイスが８０以上の平均演色評価数を有する白色光を生じさせるような間隔になっている、８０以上の平均演色評価数を有する面照明無機エレクトロルミネセントデバイス。
【請求項４】
前記デバイスの分光分布が標準光源の分光分布と一致する請求項３の面照明無機エレクトロルミネセントデバイス。
【請求項５】
（ａ）基板の上に第１の電極層を形成するステップ、
（ｂ）ピークおよびＦＷＨＭ帯域幅を含む分光分布を有する光を放射する多数の異なるコア／シェル量子ドット発光体を形成するステップ、
（ｃ）所望の分光分布を形成するために、それぞれの異なるコア／シェル量子ドット発光体の正確な割合を決定するステップ、
（ｄ）前記正確な割合の異なるコア／シェル量子ドット発光体を含む混合物を形成するステップ、
（ｅ）前記第１の電極層の少なくとも一部分の上に第１の発光層を形成するステップ、および
（ｆ）前記発光層の上に第２の電極層を形成するステップを含み、
前記異なるコア／シェルドット発光体の少なくとも１つのサブセットにより生じた光の前記分光分布のピーク波長が、いずれかの２つのピーク波長間の最小距離が４６０ｎｍと６７０ｎｍとの間で前記ＦＷＨＭ帯域幅の１．１倍未満であり、前記エレクトロルミネセントデバイスが８０以上のＣＲＩを有する白色光を生じさせるような間隔になる面照明エレクトロルミネセントデバイスの作製方法。
【手続補正書】
【提出日】平成23年4月13日(2011.4.13)
【手続補正１】
【補正対象書類名】明細書
【補正対象項目名】０１０７
【補正方法】変更
【補正の内容】
【０１０７】
本出願では、以下の態様が提供される。
１．  内部ブリュースター角を有する反射材、及び互いに直交する反射軸と透過軸とを有する反射偏光材を含む、光学的アセンブリ。
２．  １つ以上のランプを更に含み、前記反射偏光材が、前記１つ以上のランプのうち少なくとも１つと前記反射材との間に位置している、態様１に記載の光学的アセンブリ。
３．  １つ以上のランプを更に含み、前記反射材が、前記１つ以上のランプのうち少なくとも１つと前記反射偏光材との間に位置している、態様１に記載の光学的アセンブリ。
４．  前記反射材が等方性層状アセンブリである、態様１に記載の光学的アセンブリ。
５．  前記反射材が、周囲の材料とは屈折率が異なるような部分を前記反射材内に含む、態様１に記載の光学的アセンブリ。
６．  前記部分の少なくとも一部が円盤形形状である、態様５に記載の光学的アセンブリ。
７．  前記部分が周囲の材料よりも低い屈折率を有する、態様５に記載の光学的アセンブリ。
８．  前記反射材がコレステリック反射材である、態様１に記載の光学的アセンブリ。
９．  前記反射材のｐ偏光に対する反射率が、入射角の増大につれて減少する、態様１に記載の光学的アセンブリ。
１０．  前記反射材が多層誘電性反射材である、態様１に記載の光学的アセンブリ。
１１．  前記反射偏光材がポリマーである、態様１に記載の光学的アセンブリ。
１２．  １つ以上のランプ、内部ブリュースター角を有する反射材であって、前記反射材の主表面が、前記１つ以上のランプのうち少なくとも１つに面する反射材、及び
光方向変換層を含む、直接照射バックライトアセンブリ。
１３．  前記１つ以上のランプが、点光源ランプ、線状光源ランプ、又は蛇行光源ランプを含む、態様１２に記載のバックライトアセンブリ。
１４．  前記反射材が、空気中からアクセス可能である内部ブリュースター角を有する、態様１２に記載のバックライトアセンブリ。
１５．  前記ブリュースター角が空気中からアクセスできない、態様１２に記載のバックライトアセンブリ。
１６．  前記１つ以上のランプと前記反射材との間に光注入層を更に含み、前記光注入層が伝搬角度の範囲を増大する、態様１２に記載のバックライトアセンブリ。
１７．  前記光方向変換層により、更に幅広い範囲の伝搬角度が得られる、態様１２に記載のバックライトアセンブリ。
１８．  前記光方向変換層が、ディフューザー、輝度上昇フィルム、及びプリズムアセンブリからなる群から選択される、態様１２に記載のバックライトアセンブリ。
１９．  反射偏光材を更に含む、態様１２に記載のバックライトアセンブリ。
２０．  前記反射偏光材が、前記反射偏光材のブロック軸に対して平行な入射面において内部ブリュースター角を有さない、態様１９に記載のバックライトアセンブリ。
２１．  第二の光方向変換層を更に含む、態様１９に記載のバックライトアセンブリ。
２２．  前記反射偏光材が、前記１つ以上のランプと前記反射材との間に位置している、態様１９に記載の直接照射バックライトアセンブリ。
２３．  前記１つ以上のランプが、前記反射材の主表面の投影領域内にある、態様１２に記載のバックライトアセンブリ。
２４．  前記反射材が、前記１つ以上のランプと前記光方向変換層との間に位置している、態様１２に記載の直接照射バックライトアセンブリ。
２５．  前記光方向変換層及び反射材が、前記１つ以上のランプのすぐ上に位置している、態様１２に記載の直接照射バックライトアセンブリ。
２６．  １つ以上のランプ、ディスプレイパネル、内部ブリュースター角を有する反射材であって、前記反射材は少なくとも３つの層の多層干渉フィルムであり、前記層のうち少なくとも１つは複屈折性であり、ｘ軸方向の屈折率（ｎｘ）がｚ軸方向の屈折率（ｎｚ）より小さく、前記ｘ軸方向が面内方向であり、前記反射材が前記ランプと前記ディスプレイパネルとの間に位置している、反射材を含む、光学的アセンブリ。
２７．  滑らかな面を有するバックライト反射材であって、前記反射材が空気中で９０度未満の内部ブリュースター角を有し、ある偏光について前記フィルム内の内部反射率が特定の角度においてゼロであり、前記反射材が垂直入射角で５０％以上の反射率を有する、バックライト反射材を有する、光学的アセンブリ。
本発明の様々な修正及び変更は、本発明の範囲及び趣旨から逸脱せずに当該技術分野の当業者に明らかであり、本発明は、ここに記載された例示的な実施形態に限定されないことが理解されるべきである。ここに引用されている米国特許、特許出願公開、並びにその他の特許及び特許外の文書はすべて、前述の開示との不整合がない限りにおいて、参照により組み込まれる。
【手続補正２】
【補正対象書類名】特許請求の範囲
【補正対象項目名】全文
【補正方法】変更
【補正の内容】
【特許請求の範囲】
【請求項１】
内部ブリュースター角を有する反射材、及び
互いに直交する反射軸と透過軸とを有する反射偏光材
を含む、光学的アセンブリ。
【請求項２】
１つ以上のランプ、
ディスプレイパネル、及び
内部ブリュースター角を有する反射材であって、前記反射材は少なくとも３つの層の多層干渉フィルムであり、前記層のうち少なくとも１つは複屈折性であり、ｘ軸方向の屈折率（ｎｘ）がｚ軸方向の屈折率（ｎｚ）より小さく、前記ｘ軸方向が面内方向であり、前記反射材が前記ランプと前記ディスプレイパネルとの間に位置している、反射材
を含む、光学的アセンブリ。
【請求項３】
滑らかな面を有するバックライト反射材であって、前記反射材が空気中で９０度未満の内部ブリュースター角を有し、ある偏光について前記フィルム内の内部反射率が特定の角度においてゼロであり、前記反射材が垂直入射角で５０％以上の反射率を有する、バックライト反射材を有する、光学的アセンブリ。
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
基板と；
前記基板上に形成された発光領域であり、第１電極、第２電極、及び１つ以上のＥＬユニットを備え、前記ＥＬユニットは前記電極間に形成された少なくとも１つの発光層を備え、少なくとも１つの電極は透明電極である発光領域と；
前記発光領域の上に設けられたカバーと；及び、
前記基板と前記カバーの間に設けられた光散乱層であり、透明な光散乱粒子を含み、前記光散乱層の体積に対する光散乱粒子の体積の比率が前記発光領域の大部分に渡って０．５５より大きい光散乱層と
を含むエレクトロルミネッセンス（ＥＬ）デバイスであり、前記基板又は前記カバーのいずれかが透明であり前記ＥＬユニットから放出された光を透過するエレクトロルミネッセンス（ＥＬ）デバイス。
【請求項２】
前記光散乱層が、前記基板と電極との間、電極と前記ＥＬユニットとの間、又は電極と前記カバーとの間に設けられている、請求項１に記載のエレクトロルミネッセンス（ＥＬ）デバイス。
【請求項３】
前記光散乱層が電極に隣接、かつ、接触している、請求項１に記載のエレクトロルミネッセンス（ＥＬ）デバイス。
【請求項４】
以下の工程を含むエレクトロルミネッセンス（ＥＬ）デバイスの形成方法であり：
ａ）第１電極、第２透明電極、及び前記電極間に形成された１つ以上のＥＬユニットを備える発光領域を有するＬＥＤを準備し；
ｂ）揮発性溶媒と複数の透明な光散乱粒子とを含む溶液を調製し；
ｃ）前記１つ以上のＥＬユニットと反対側の前記透明電極の面に前記溶液をコーティングし；そして、
ｄ）前記溶液を乾燥させ前記透明電極上に光散乱層を形成する
工程を含むエレクトロルミネッセンス（ＥＬ）デバイスの形成方法であって、前記光散乱層の体積に対する光散乱粒子の体積の比率が前記発光領域の大部分に渡って０．５５より大きい、エレクトロルミネッセンス（ＥＬ）デバイスの形成方法。
【請求項５】
基板と；
前記基板上に形成された発光領域であり、第１電極、第２電極、及び１つ以上のＥＬユニットを備え、前記ＥＬユニットは前記電極間に形成された少なくとも１つの発光層を備え、少なくとも１つの電極は透明電極であり、前記透明電極及びＥＬユニットの材料は第１の屈折率範囲を有する、発光領域と；
前記発光領域の上に設けられたカバーであり、第２の屈折率を有し、そこから前記ＥＬユニットからの光が放出されるカバーと；
前記基板又はカバーのいずれかが透明であり前記ＥＬユニットから放出された光を透過する前記基板と前記カバーの間に設けられた光散乱層であり、透明な光散乱粒子を含み、前記光散乱層の体積に対する光散乱粒子の体積の比率が前記発光領域の大部分に渡って０．５５より大きい光散乱層と；そして、
透明な低屈折率素子であり、前記第１の屈折率範囲及び前記第２の屈折率のそれぞれよりも小さい第３の屈折率を有し、前記光散乱層と前記透明な基板又はカバーとの間に設けられる、透明な低屈折率素子と
を含むエレクトロルミネッセンス（ＥＬ）デバイス。
【手続補正書】
【提出日】平成23年4月19日(2011.4.19)
【手続補正１】
【補正対象書類名】特許請求の範囲
【補正対象項目名】請求項４６
【補正方法】変更
【補正の内容】
【請求項４６】
前記セキュリティ文書又は物品が、預金通帳、小切手、トラベラーズチェック、真正性証明書（ｃｅｒｔｉｆｉｃａｔｅ  ｏｆ  ａｕｔｈｅｎｔｉｃｉｔｙ），切手、債券、道路税支払い証明書（ｔａｘ  ｄｉｓｃ）、収入印紙（ｆｉｓｃａｌ  ｓｔａｍｐ），  セキュリティ・ラベル（ｓｅｃｕｒｅ  ｌａｂｅｌ）、旅券、バウチャー、ＩＤカード又は同様なものを含むことを特徴とする請求項４３から請求項４５までのいずれか一項に記載の方法。
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
各メモリセルがＤＣ電流を選択的に流す複数のメモリセルと、
ワード線群を、電圧レベルを使用して選択的に駆動して、前記メモリセル群の中から選択されるメモリセル群にアクセスする行デコーダモジュールと、
アクティブ状態及び非アクティブ状態を有する制御信号を受信し、かつ前記ワード線群のうちの１つのワード線に現われる前記電圧レベルを第１及び第２の所定電圧レベルのうちの１つの所定電圧レベルに、前記制御信号が前記アクティブ状態を有する場合に選択的にプルする第１再生モジュールと、を備え、前記ワード線群のうちの前記１つのワード線の前記メモリセル群のうちの少なくとも１つのメモリセルは、前記第１再生モジュールと前記行デコーダモジュールとの間に配置され、そして前記制御信号は前記アクティブ状態を、前記ワード線群のうちの前記１つのワード線に現われる前記電圧レベルが移行していない複数の期間に亘って有する、メモリ。
【請求項２】
前記第１の所定電圧レベルは前記第２の所定電圧レベルよりも高く、そして前記第１再生モジュールは前記電圧レベルを前記第１の所定電圧レベルに、前記電圧レベルが所定の閾値を上回る場合に選択的にプルする、請求項１に記載のメモリ。
【請求項３】
前記第１再生モジュールは前記電圧レベルを前記第２の所定電圧レベルに、前記電圧レベルが前記所定の閾値を下回る場合に選択的にプルする、請求項２に記載のメモリ。
【請求項４】
前記第１再生モジュールは、前記電圧レベルを前記第１の所定電圧レベルに前記電圧レベルが前記所定の閾値を下回る場合にプルするのを一時停止する、請求項２に記載のメモリ。
【請求項５】
前記第１の所定電圧レベルは前記第２の所定電圧レベルよりも高く、そして前記第１再生モジュールは前記電圧レベルを前記第２の所定電圧レベルに、前記電圧レベルが所定の閾値を下回る場合に選択的にプルする、請求項１に記載のメモリ。
【請求項６】
前記第１再生モジュールは、前記電圧レベルを前記第２の所定電圧レベルに前記電圧レベルが前記所定の閾値を上回る場合にプルするのを一時停止する、請求項５に記載のメモリ。
【請求項７】
前記ワード線群のうちの前記１つのワード線は、前記行デコーダモジュールと前記メモリセル群のうちの遠位側セルとの間で延び、そして前記第１再生モジュールは前記遠位側セルに隣接して配置される、請求項１から６の何れか１項に記載のメモリ。
【請求項８】
更に第２再生モジュールを前記ワード線群のうちの前記１つのワード線に対応して備え、前記第２再生モジュールは、前記遠位側セルと前記行デコーダモジュールとの間に配置される、請求項７に記載のメモリ。
【請求項９】
前記ワード線群のうちの前記１つのワード線は、前記行デコーダモジュールと前記メモリセル群のうちの遠位側セルとの間で延び、そして前記第１再生モジュールは前記遠位側セルと前記行デコーダモジュールとの間の中間に配置される、請求項１から６の何れか１項に記載のメモリ。
【請求項１０】
前記ワード線群は、Ｎが１よりも大きい整数である場合にＮ本のワード線を含み、そして前記メモリは更に、前記第１再生モジュールを含むＮ個の再生モジュールを備え、前記Ｎ個の再生モジュールの各再生モジュールは、前記Ｎ本のワード線のうちの該当する１本のワード線に対応する、請求項１から９の何れか１項に記載のメモリ。
【請求項１１】
前記メモリセル群は、バイポーラ接合トランジスタを含む、請求項１から１０の何れか１項に記載のメモリ。
【請求項１２】
前記メモリセル群は、相変化メモリ素子を含む、請求項１から１０の何れか１項に記載のメモリ。
【請求項１３】
更に再生制御モジュールを備え、該再生制御モジュールは、前記非アクティブ状態を、前記行デコーダモジュールが前記ワード線群の前記電圧レベルを駆動した後の所定期間に亘って有する前記制御信号を生成する、請求項１から１２の何れか１項に記載のメモリ。
【請求項１４】
前記再生制御モジュールは、前記非アクティブ状態を、前記行デコーダモジュールが前記ワード線群の前記電圧レベルを駆動する前の第２の所定期間に亘って有する前記制御信号を生成する、請求項１３に記載のメモリ。
【請求項１５】
前記第１再生モジュールは、各インバータが入力及び出力を有する第１及び第２インバータを含み、前記第１インバータの前記出力は、前記第２インバータの前記入力に通じ、そして前記第２インバータの前記出力及び前記第１インバータの前記入力は、前記ワード線群のうちの前記１つのワード線に通じる、請求項１から１４の何れか１項に記載のメモリ。
【請求項１６】
前記第２インバータは、高インピーダンス状態に前記制御信号によって選択的に設定される、請求項１５に記載のメモリ。
【請求項１７】
前記第２インバータは、前記高インピーダンス状態に前記制御信号によって設定される、請求項１６に記載のメモリ。
【請求項１８】
前記第１再生モジュールは、入力及び出力を有するインバータと、そして制御端子、及び第１及び第２端子を有するトランジスタと、を含む、請求項１から１４の何れか１項に記載のメモリ。
【請求項１９】
メモリを動作させる方法であって：
複数のメモリセルを設けるステップであって、これらのメモリセルがそれぞれ、ＤＣ電流を流す、複数のメモリセルを設けるステップと、
行デコーダモジュールを使用してワード線群を電圧レベルを使用して選択的に駆動することにより、前記メモリセル群の中から選択されるメモリセル群にアクセスするステップと、
アクティブ状態及び非アクティブ状態を有する制御信号を生成するステップと、
前記ワード線群のうちの１つのワード線に現われる前記電圧レベルを第１及び第２の所定電圧レベルのうちの１つの所定電圧レベルに、前記制御信号が前記アクティブ状態を有する場合に選択的にプルする第１再生モジュールを設けるステップであって、前記制御信号が前記アクティブ状態を、前記ワード線群のうちの前記１つのワード線の前記電圧レベルが移行していない複数の期間に亘って有する、第１再生モジュールを設けるステップと、
前記ワード線群のうちの前記１つのワード線の前記メモリセル群のうちの少なくとも１つのメモリセルを、前記第１再生モジュールと前記行デコーダモジュールとの間に配置するステップと
を含む、方法。
【請求項２０】
前記第１の所定電圧レベルは前記第２の所定電圧レベルよりも高く、そして前記方法は更に、前記電圧レベルを前記第１の所定電圧レベルに、前記電圧レベルが所定の閾値を上回る場合に選択的にプルするステップを含む、請求項１９に記載の方法。
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
電源入力端子と、
複数の電源出力端子と、
前記電源入力端子と、前記電源出力端子のそれぞれとの間に接続された複数の電源回路と、
アクティブコンフィギュレーションメモリと、
外部から前記アクティブコンフィギュレーションメモリへコンフィギュレーションデータをアップロードするための少なくとも１つの端子を有する通信インターフェースと、
前記アクティブコンフィギュレーションメモリからの前記コンフィギュレーションデータに応じて、前記電源回路のそれぞれの動作パラメータを制御するように構成された制御回路と、を備える電源管理集積回路において、
デフォルトコンフィギュレーションメモリを備え、
前記制御回路が、前記電源管理集積回路のスタートアップ後に、少なくとも前記コンフィギュレーションデータが前記アクティブコンフィギュレーションメモリにロードされるまで、前記デフォルトコンフィギュレーションメモリからのデフォルトデータに応じて、前記電源回路のそれぞれの動作パラメータを制御するように構成されていることを特徴とする電源管理集積回路。
【請求項２】
請求項１に記載の電源管理集積回路において、前記動作パラメータが、
調整電源回路である複数の電源回路のうちの第１電源回路による、前記電源出力端子のうちの第１電源出力端子における電圧出力レベルと、
それぞれの前記調整電源回路による、前記電源出力端子のそれぞれにおけるそれぞれの電圧出力レベルと、
前記電源回路のそれぞれのスイッチオフおよび／またはスイッチオフ間のタイミング遅延と、
特定事象の検出に対する電源出力応答の規定と
のうちの少なくとも一つを含む電源管理集積回路。
【請求項３】
請求項１に記載の電源管理集積回路において、
複数の直接電源制御端子を備え、
前記制御回路が、前記直接電源制御端子からのトリガ信号に応答して、前記電源回路を制御するように構成され、前記アクティブコンフィギュレーションメモリからのコンフィギュレーションデータに応じて、前記応答のパラメータを制御する電源管理集積回路。
【請求項４】
請求項１に記載の電源管理集積回路において、前記動作パラメータが、
第１の前記直接電源制御端子からのトリガ信号に応答した、前記電源回路のそれぞれのスイッチオフおよび／またはスイッチオン間のタイミング遅延と、
第１の前記直接電源制御端子からのトリガ信号に応答してスイッチオフおよび／またはスイッチオンされる前記電源回路の組み合わせと
のうち、少なくとも一つを含む電源管理集積回路。
【請求項５】
請求項１に記載の電源管理集積回路において、
電源ドメインの階層を備え、
各特定の前記電源ドメインは、前記特定の電源ドメインの上位にある前記電源ドメインのうち、階層的により上位の電源ドメインが起動された場合のみに起動可能である、電源管理集積回路。
【請求項６】
請求項５に記載の電源管理集積回路において、
前記電源管理集積回路がどの電源からも電力が供給されない無電力状態と、
一次電源電圧が検出され、前記電源管理集積回路の一部のみが起動される第１オフ状態と、
二次電源電圧が検出された第２オフ状態と、
有効な一次内部パラメータが確認される有効確認状態と、
外部選択可能な動作が可能であるアクティブ状態と、
前記電源出力端子のうち選択した部分のみに電力を供給することによって、前記電源管理集積回路が設定可能な低電力プロファイルに切り替えられるハイバーネート状態と
のうちの少なくとも一つを含む状態で、ステートマシンとして動作するように構成された、電源管理集積回路。
【請求項７】
請求項１に記載の電源管理集積回路において、
アクティブ状態からハイバーネート状態へ切り替わるように構成され、
前記コンフィギュレーションデータは、どの前記電源出力端子が前記ハイバーネート状態で電力を供給し、どの前記電源出力端子が電力を供給しないかを制御する、電源管理集積回路。
【請求項８】
請求項１に記載の電源管理集積回路において、
前記電源入力端子が、一次電源からの電力を受けるために設けられ、
前記電源管理集積回路は、第二電源からの電力を受けるための他の電源入力端子を有し、
前記電源管理集積回路は、前記一次電源の切り離しの検出時に、バックアップ状態に切り替わるように構成され、
前記コンフィギュレーションデータは、前記電源管理集積回路および／または前記電源出力端子のどの部分が、前記バックアップ状態で前記二次電源から電力を受けるかを制御する、電源管理集積回路。
【請求項９】
請求項１に記載の電源管理集積回路と、前記電源出力端子のそれぞれに結合された複数の他の回路と、前記通信インターフェースに結合されたアプリケーションプロセッサと、を備えた装置であって、
前記アプリケーションプロセッサは、前記通信インターフェースを通して前記アクティブコンフィギュレーションメモリに前記コンフィギュレーションデータをアップロードするように構成されている装置。
【請求項１０】
アプリケーションプロセッサと、電源管理集積回路の電源出力端子に結合された電源入力を有する複数の回路と、を備えた装置を動作させる方法であって、
前記アプリケーションプロセッサから前記電源管理集積回路内のアクティブコンフィギュレーションメモリにコンフィギュレーションデータをアップロードするステップと、
前記装置内で、または前記装置に伴って発生する事象に応答して、前記電源出力端子における電源応答を制御するステップと、を含み、
前記応答は、前記アクティブコンフィギュレーションメモリからの前記コンフィギュレーションデータに応じて、前記電源管理集積回路内で制御される、装置の動作方法において、
デフォルトコンフィギュレーションメモリにデフォルトデータを蓄えるステップと、
前記電源管理集積回路のスタートアップ後に、少なくとも前記コンフィギュレーションデータが前記アクティブコンフィギュレーションメモリにロードされるまで、前記デフォルトコンフィギュレーションメモリからのデフォルトデータに応じて、前記電源出力端子のそれぞれの動作パラメータを制御するステップと、
を含むことを特徴とする装置の動作方法。
【手続補正書】
【提出日】平成23年5月11日(2011.5.11)
【手続補正１】
【補正対象書類名】特許請求の範囲
【補正対象項目名】全文
【補正方法】変更
【補正の内容】
【特許請求の範囲】
【請求項１】
少なくとも部分的に電子書籍リーダ装置によって実現される方法であって、実行可能な命令で構成される１つ以上の電子書籍リーダ装置システムの管理下において、
前記電子書籍リーダ装置の表示部に、前記電子書籍リーダ装置のメモリに格納された１つ以上の電子書籍の１つ以上のタイトルのリストを表示するステップと、
前記電子書籍リーダ装置の前記表示部にインデックス生成の状況を提供するステップであって、前記インデックス生成の状況は、前記表示部にタイトルがリストされ、かつ、前記電子書籍リーダ装置のメモリに格納された前記１つ以上の電子書籍に対して、テキスト検索可能なインデックスが存在するかどうかを示す、ステップと、
を含む、方法。
【請求項２】
前記インデックス生成の状況は、前記リスト内の前記電子書籍のうちの１つ以上に関連する状況インジケータを含む、請求項１に記載の方法。
【請求項３】
優先度インタフェースを提示するステップをさらに含み、これによってユーザは、前記電子書籍リーダ装置が前記電子書籍リーダ装置のメモリに格納された電子書籍に対する検索インデックスを生成する順序を設定することができる、請求項１又は２に記載の方法。
【請求項４】
前記電子書籍リーダ装置が、前記電子書籍リーダ装置のメモリに格納された前記電子書籍に対する検索インデックスを生成する優先順を変更するステップをさらに含む、請求項１乃至３のいずれか１項に記載の方法。
【請求項５】
タスクの実行中、インデックス生成を一時停止するステップをさらに含む、請求項１に記載の方法。
【請求項６】
前記装置のボタンの操作、前記装置へのメモリの挿入、新しい電子アイテムの受信、または前記装置のソフトウェアの更新のうちの１つ以上に応答してインデックス生成を一時停止するステップをさらに含む、請求項１に記載の方法。
【請求項７】
タスクの実行中、インデックス生成を減速するステップをさらに含む、請求項１に記載の方法。
【請求項８】
オーディオファイルの再生またはアプリケーションプログラムの実行のうちの１つ以上に応答して、インデックス生成を減速するステップをさらに含む、請求項１に記載の方法。
【請求項９】
請求項１に記載の方法を実現するコンピュータが実行可能な命令を含む、１つ以上のコンピュータが読取可能な記憶媒体。
【請求項１０】
プロセッサと、
インデックスモジュール及び請求項１に記載の方法を実現するための前記プロセッサ上で実行可能な命令を格納するメモリと、
を備える、携帯型電子書籍リーダ装置。
【請求項１１】
少なくとも部分的に電子書籍リーダ装置によって実現される方法であって、実行可能な命令で構成される１つ以上の電子書籍リーダ装置システムの管理下において、
前記電子書籍リーダ装置の表示部に、前記電子書籍リーダ装置のメモリに格納された１つ以上の電子書籍のリストを表示するステップと、
まだインデックスされていない電子書籍のユーザ選択に応答して、前記電子書籍リーダ装置が、前記電子書籍リーダ装置のメモリに格納された前記電子書籍に対する検索インデックスを生成する優先順を変更するステップと
含む、方法。
【請求項１２】
タスクの実行中、インデックス生成を一時停止又は減速するするステップをさらに含む、請求項１１に記載の方法。
【請求項１３】
前記装置のボタンの操作、前記装置へのメモリの挿入、新しい電子アイテムの受信、または前記装置のソフトウェアの更新のうちの１つ以上に応答してインデックス生成を一時停止するステップをさらに含む、請求項１１に記載の方法。
【請求項１４】
オーディオファイルの再生又はアプリケーションプログラムの実行のうちの１つ以上に応答してインデックス生成を減速するステップをさらに含む、請求項１１に記載の方法。
【請求項１５】
プロセッサと、
ユーザに情報を表示するように構成される表示部と、
前記プロセッサに接続されたメモリであって、電子書籍のインデックスを作成し、前記表示部上にインデックス生成の状況に従ってタイトルがリストされた１つ以上の前記電子書籍の１つ以上のタイトルのリストを表示するための、前記プロセッサ上で実行可能なロジックを含むインデックス作成モジュールを格納する、メモリと、
を備え、
前記インデックス生成の状況は、前記メモリに格納された前記１つ以上の電子書籍に対して、テキスト検索可能なインデックスが存在するかどうかを示す、
ことを特徴とする携帯型電子書籍リーダ装置。
【請求項１６】
優先度インタフェースを提示するように構成され、前記メモリ内に格納されるユーザインタフェースモジュールをさらに含み、これによって、ユーザは、前記携帯型電子書籍リーダ装置が、前記メモリ内に格納された前記電子書籍に対して検索インデックスを生成する順序を変更することができる、請求項１５に記載の携帯型電子書籍リーダ。
【請求項１７】
優先度インタフェースを提示するように構成され前記メモリ内に格納されるユーザインタフェースモジュールをさらに含み、これによって、ユーザは、前記メモリ内に格納された前記電子書籍に対するインデックスのダウンロードを選択することができる、請求項１５に記載の携帯型電子書籍リーダ装置。
【請求項１８】
前記インデックス作成モジュールは、前記プロセッサ上で実行可能な１つ以上の既定のタスクに応答して、インデックス生成を一時停止または減速するように構成されるロジックをさらに含む、請求項１５に記載の携帯型電子書籍リーダ装置。
【請求項１９】
前記インデックス作成モジュールは、前記装置のボタンの操作、前記装置へのメモリの挿入、新しい電子アイテムの受信、または前記装置のソフトウェアの更新のうちの１つ以上に応答して、インデックス生成を一時停止するように構成されるロジックをさらに含む、請求項１５に記載の携帯型電子書籍リーダ装置。
【請求項２０】
前記インデックス作成モジュールは、オーディオファイルの再生またはアプリケーションプログラムの実行のうちの１つ以上に応答して、インデックス生成を減速するように構成されるロジックをさらに含む、請求項１５に記載の携帯型電子書籍リーダ装置。
【請求項２１】
各検索インデックスは、前記電子書籍リーダ装置の前記メモリに格納された前記電子書籍のうちの少なくとも１つの中の実質的に全ての単語を含む、請求項１に記載の方法。
【請求項２２】
前記検索インデックスの生成状況は、検索可能なインデックスが現在生成されている前記電子書籍のうちの少なくとも１つの検索インデックスの生成の進捗を示す、進捗インジケータをさらに含む、請求項１に記載の方法。
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
プロキシモジュールあって、
ネットワークアクセス可能なリソースにアクセスするための要求を、ユーザデバイスから受信し、
前記ユーザデバイスが、前記要求されたネットワークアクセス可能なリソースにアクセスすることを許可されているかどうかを判定し、
前記要求されたネットワークアクセス可能なリソースにアクセスすることを、前記ユーザデバイスが許可されていると判定される場合、前記要求されたネットワークアクセス可能なリソースに前記ユーザデバイスがアクセス可能なようにするよう構成されたプロキシモジュールを備え、
前記ユーザデバイスは、前記要求されたネットワークアクセス可能なリソースに直接アクセスすることを禁止されており、
前記判定は、少なくとも
（ａ）前記要求されたネットワークアクセス可能なリソースが、前記アイテム提供システムによって運用されている店舗モジュールと関連している故に、前記ユーザのアクセスを許可する、
（ｂ）前記要求されたネットワークアクセス可能なリソースが、無料でアクセス可能なリソースというクラスの構成要素である故に、前記ユーザのアクセスを許可する、および
（ｃ）前記要求されたネットワークアクセス可能なリソースが、料金を支払うことでアクセス可能なリソースというクラスの構成要素であり、かつ前記ユーザが前記料金の支払いに同意している故に、前記ユーザのアクセスを許可する
というビジネス規則に基づいて、前記要求されたネットワークアクセス可能なリソースにアクセスすることをユーザが許可されることを確認にすることを特徴とするユーザデバイスにサービスを提供するアイテム提供システム。
【請求項２】
前記ユーザデバイスは、個別のネットワークアドレスに関連した、所定数の承認されているネットワークアクセス可能なリソースのみにアクセスできるようにし、それによって、前記要求されたネットワークアクセス可能な事業体に直接アクセスすることを禁止することを特徴とする請求項１に記載のアイテム提供システム。
【請求項３】
前記所定数の承認されているネットワークアクセス可能なリソースのうちの１つであることを特徴とする請求項１または２に記載のアイテム提供システム。
【請求項４】
アイテムを提供する方法であって、
ソースからアイテムを受け取るステップと、
前記アイテムをコンテンツ記憶内に格納するステップと、
ユーザによって操作されるユーザデバイスに関連したエントリーのリストに、前記アイテムを取得するよう前記ユーザデバイスに命令するために、前記ユーザデバイスによってアクセスされるエントリーを追加するステップと
を備えたことを特徴とする方法。
【請求項５】
前記アイテムを、前記ユーザデバイスによる消費に望ましいフォーマットに変換するステップをさらに備え、前記格納するステップは、前記望ましいフォーマットで前記アイテムを格納するステップを含むことを特徴とする請求項４に記載の方法。
【請求項６】
前記ユーザの、前記アイテムの選択を受け取るステップをさらに備え、前記エントリーを追加するステップは、前記ユーザの選択の前記受信に応答して行なわれることを特徴とする請求項４または５に記載の方法。
【請求項７】
前記ユーザの、前記アイテムの選択は、前記ユーザの、前記アイテムの購入を示していることを特徴とする請求項４ないし６のいずれかに記載の方法。
【請求項８】
アイテム提供システムからアイテムを受け取るよう構成されているデバイス処理モジュールと、
前記ユーザが前記ユーザデバイスを介して利用可能なアイテムを管理するよう構成され、種々のソースからアクセス可能なアイテムを公開し、ソースの種類を特定するコンテンツ管理モジュールと
を備えたことを特徴とするユーザデバイス。
【請求項９】
前記ソースの少なくとも１つは、前記アイテム提供システムによって提供され、前記ユーザによって以前に購入されたアイテムのリストを保持するよう構成される個人用ライブラリモジュールであることを特徴とする請求項８に記載のユーザデバイス。
【請求項１０】
前記ソースの少なくとも１つは、前記アイテム提供システムによって提供され、前記ユーザによって購入された予約購読と、前記予約購読に関連した号についての情報を保持するよう構成される予約購読モジュールであることを特徴とする請求項８または９に記載のユーザデバイス。
【請求項１１】
前記コンテンツ管理モジュールは、特定された１つまたは複数のソースに関連したアイテムを、１つまたは複数の選択基準に基づいて選択的に提示するよう構成される選別モジュールを含むことを特徴とする請求項８ないし１０のいずれかに記載のユーザデバイス。
【請求項１２】
ユーザデバイスによってアクセス可能なアイテムを管理する方法であって、
前記ユーザデバイスを介してユーザが利用可能な、種々のソースからアクセス可能であるアイテムを特定するステップと、
前記特定されたアイテムを表示し、前記特定されたアイテムそれぞれに関連した前記ソースを明らかにするステップと
を備え、
前記ソースの少なくとも１つは内部デバイスメモリであり、もう１つのソースはアイテム提供システムによって提供されるＩＰＳソースであることを特徴とする方法。
【請求項１３】
ユーザデバイスが該ユーザデバイスにおいて消費されるアイテムを受け取るために交信するアイテム提供システムによって保持される、個人用メディアライブラリのモジュールであって、
ユーザによって購入されたアイテムのリストを保持するよう構成される論理構成と、
前記ユーザの要求に応答して、前記リスト内のアイテムの、前記ユーザデバイスへの無線ダウンロードを承認するよう構成される論理構成と
を備えたことを特徴とする個人用メディアライブラリモジュール。
【請求項１４】
前記アイテムのリスト内のアイテムを前記ユーザデバイスに知らせるために、メタデータを前記ユーザデバイスに提供するよう構成される論理構成をさらに備えたことを特徴とする請求項１３に記載の個人用メディアライブラリモジュール。
【請求項１５】
ユーザデバイスが該ユーザデバイスにおいて消費されるアイテムを受け取るために交信するアイテム提供システムによって保持される個人用メディアライブラリモジュールを管理する方法であって、
ユーザによって購入されたアイテムのリストを保持するステップと、
前記ユーザの要求に応答して、前記リスト内のアイテムの、前記ユーザデバイスへの無線ダウンロードを承認するステップと
を備えたことを特徴とする方法。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
遠隔オブジェクトを照射する照明器具であって、
反射ベース面及び反射側壁をもつキャビティと、
前記キャビティ内に取り付けられた複数の発光ダイオード（ＬＥＤ）とを有し、
前記キャビティは、ＬＥＤよりも多い複数の光放射孔を含む、前記反射ベース面と向かい合う平面反射光出力面をもち、
これらの前記孔は、前記キャビティの上面の全表面エリアの少なくとも１０％を占め、
各孔の近くで当該照明器具により放射された光は、光輝度が角度内のピーク輝度の２分の１となる角度の尺度で、４５〜９０度の制御された分散角をもち、
前記キャビティが５ｃｍよりも小さい深さをもち、
当該照明器具により放射された光は、当該照明器具の前記平面反射光出力面から離れた特定の距離の平面オブジェクトの均一な照射を供給する、照明器具。
【請求項２】
当該照明器具の前記平面反射光出力面から離れた特定の距離の平面オブジェクトの均一な照射は、
当該照明器具が、当該照明器具の前記光出力面の面積と同等の面積をもつオブジェクトの平面を照射し、
前記オブジェクトの前記平面は、当該照明器具の光出力面から１フィート離れ、
前記オブジェクトの平面の各エリアの照射は、前記オブジェクトの平面の照射の前記ピーク輝度の７５％の範囲内にある、請求項１に記載の照明器具。
【請求項３】
各孔の近くで当該照明器具により放射された光は、光輝度が前記角度内のピーク輝度の２分の１となる角度の尺度で、６０度よりも小さい制御された分散角をもつ、請求項１に記載の照明器具。
【請求項４】
前記複数のＬＥＤを支持する回路基板を更に有する、請求項１に記載の照明器具。
【請求項５】
前記ＬＥＤが、前記キャビティのベース面の上に取り付けられる、請求項１に記載の照明器具。
【請求項６】
前記ＬＥＤが、前記キャビティの前記平面反射光出力面の上に取り付けられる、請求項１に記載の照明器具。
【請求項７】
前記ＬＥＤのピッチは、少なくとも２．５ｃｍである、請求項１に記載の照明器具。
【請求項８】
前記ＬＥＤは、前記キャビティ内に単一直線で設けられる、請求項１に記載の照明器具。
【請求項９】
前記ＬＥＤは、前記キャビティ内に二次元アレイで設けられる、請求項１に記載の照明器具。
【請求項１０】
前記制御された分散角を提供するために各孔を覆うレンズを更に有する、請求項１に記載の照明器具。
【請求項１１】
各孔は、前記制御された分散角を提供するために円筒以外で形成される、請求項１に記載の照明器具。
【請求項１２】
各孔は、円筒以外で形成される、請求項１に記載の照明器具。
【請求項１３】
前記キャビティは、前記キャビティ内の一のＬＥＤの高さの１０倍より小さい深さをもつ、請求項１に記載の照明器具。
【請求項１４】
前記キャビティは、前記キャビティ内の一のＬＥＤの高さの５倍より小さい深さをもつ、請求項１に記載の照明器具。
【請求項１５】
前記キャビティは、３ｃｍよりも小さい深さをもつ、請求項１に記載の照明器具。
【請求項１６】
前記キャビティは、１ｃｍよりも小さい深さをもつ、請求項１に記載の照明器具。
【請求項１７】
前記孔は、規則的なパターンで設けられる、請求項１に記載の照明器具。
【請求項１８】
各ＬＥＤの上の孔の密度は、各ＬＥＤの上から離れた孔の密度よりも小さい、請求項１に記載の照明器具。
【請求項１９】
前記キャビティの内壁は、正反射性である、請求項１に記載の照明器具。
【請求項２０】
前記キャビティの内壁は、拡散性である、請求項１に記載の照明器具。
【請求項２１】
前記キャビティは、矩形で細長である、請求項１に記載の照明器具。
【請求項２２】
前記ＬＥＤは、青色光を放射するＬＥＤダイと、青色光と組み合わせられたときに白色光を生成する光を放射する、各ＬＥＤダイの少なくとも一部を覆う蛍光体とを有する、請求項１に記載の照明器具。
【請求項２３】
前記ＬＥＤは、青色光を放射するＬＥＤダイと、青色光と組み合わせられたときに白色光を生成する光を放射する、前記キャビティの少なくとも１つの内面の上に蛍光体コーティングとを有する、請求項１に記載の照明器具。
【請求項２４】
前記ＬＥＤは、側面発光ＬＥＤである、請求項１に記載の照明器具。
【手続補正書】
【提出日】平成23年6月2日(2011.6.2)
【手続補正１】
【補正対象書類名】特許請求の範囲
【補正対象項目名】請求項１１
【補正方法】変更
【補正の内容】
【請求項１１】
前記ＡＣ電圧は、パルス化期間が２μｓと２０ｍｓとの間、好ましくは１０μｓと１ｍｓとの間、好ましくは１００μｓとなるように選択される、請求項１０に記載の方法。